(57)【要約】【課題】機械構成を大幅に変えることなく、コストアップを伴わない、紙詰まり処理の操作性が向上した給紙装置を有する画像形成装置を提供すること。【解決手段】記録紙を搬送する搬送手段と、搬送路を持ち、当該搬送路の一部を開閉することができる給紙装置を有する画像形成装置において、前記搬送路の一部の開閉状態にあることを検知する検知手段と、当該検知手段によって前記搬送路の一部が開放状態を検知したとき、前記搬送手段を一定時間駆動させる給紙装置を有することを特徴とする画像形成装置。【選択図】        図４
2005008310.tif 000002
【特許請求の範囲】
【請求項１】
記録紙を搬送する搬送手段と、搬送路を持ち、当該搬送路の一部を開閉することができる給紙装置を有する画像形成装置において、前記搬送路の一部の開閉状態にあることを検知する検知手段と、当該検知手段によって前記搬送路の一部が開放状態を検知したとき、前記搬送手段を一定時間駆動させる給紙装置を有することを特徴とする画像形成装置。
【請求項２】
前記搬送手段を駆動させる判断は、開閉できる前記搬送路の、一部の箇所と下流側に記録紙の有無を検知する検知手段により、当該記録紙が有ることを判断したときに前記搬送手段を一定時間駆動させる給紙装置を有することを特徴とする請求項１に記載の画像形成装置。
【発明の詳細な説明】
【０００１】
【発明の属する技術分野】
本発明は、電子写真方式の画像形成装置に関し、特に、記録紙の搬送時に生じた紙詰まりの処理を容易ならしめる機能を備えた給紙装置を有する画像形成装置に関する。
【０００２】
【従来の技術】
従来、搬送路で紙詰まりが発生したとき、搬送路を形成する開閉可能なガイド板の一部を開放して詰まった紙を取り出す方法が一般的にとられている。
【０００３】
複数の記録紙トレイにまたがる上下方向の搬送路で、当該搬送路において記録紙を搬送する搬送手段を有する画像形成装置にあっては、画像形成装置の少なくとも一側面をカバーする、開閉可能な搬送路を一部搭載した側面カバーを開放することによって、記録紙の紙詰まりを処理する技術が開示されている（例えば、特許文献１参照）。
【０００４】
【特許文献１】
特許第３０５３０２１号公報
【０００５】
【発明が解決しようとする課題】
しかしながら、記録紙を載積する記録紙トレイが複数あると、画像形成装置底面に近い記録紙トレイから送り出された記録紙の紙詰まりが発生した場合、操作性を向上するため、ガイド板の開閉量を大きくして、開閉面積を広くする必要があるが、構成が複雑化する欠点がある。
【０００６】
本発明は、機械構成を大幅に変えることなく、コストアップを伴わない、紙詰まり処理の操作性が向上した給紙装置を有する画像形成装置を提供することを目的とする。
【０００７】
【課題を解決するための手段】
本発明の目的は、記録紙を搬送する搬送手段と、搬送路を持ち、当該搬送路の一部を開閉することができる給紙装置を有する画像形成装置において、前記搬送路の一部の開閉状態を検知する検知手段と、当該検知手段によって前記搬送路の一部が開放状態にあることを検知したとき、前記搬送手段を一定時間駆動させる給紙装置を有する画像形成装置によって達成される。
【０００８】
【発明の実施の形態】
以下、本発明に係る実施の形態の一例を図面に基づいて説明するが、はじめに、図１を用いて画像形成装置について説明する。
【０００９】
なお、本明細書に用いる用語により本発明の技術範囲が限定されることはない。
【００１０】
図１は画像形成装置の全体構成の一例を示す図である。
回転する感光体１の周囲に、帯電手段２、露光手段３、現像手段４、転写手段５、除電手段５Ａ、分離手段６、およびクリーニング手段７を設けたものである。プラテンガラス１２１に載置された原稿Ｄは読み取り装置１２で読み込まれ、その画像信号に対応する電気信号は、露光手段３内のレーザによって光信号に変換され、帯電手段２によって一様に帯電された感光体１の表面に、前記光信号の光照射を行うことによって潜像が形成され、当該潜像はバイアスを印加した現像手段４により反転現像されて感光体１の表面にトナー像となる。
【００１１】
一方、用紙収納手段８から給紙された記録紙（以下、用紙Ｐともいう。）は転写位置へと送られ、転写位置において転写手段５により前記トナー像が用紙Ｐ上に転写される。その後に、用紙Ｐは除電手段５Ａにより裏面の電荷が消去され、分離手段６により感光体１から分離され、中間搬送部９により搬送され、引き続き定着装置１０により加熱定着され、排紙皿１１へ排紙される。一方、感光体１の表面は、分離手段６の下流においてクリーニング手段７により表面に残留している現像剤（トナー）が除去され、次の画像形成に備える。
【００１２】
以下、本発明に係る給紙搬送部について説明する。
図１において、８ａ（８ｂ、８ｃ）は給紙トレイで、８１ａ（８１ｂ、８１ｃ）は送り出しローラ、８２ａ（８２ｂ、８２ｃ）は搬送ローラ、８３ａ（８３ｂ、８３ｃ）は記録紙を搬送する搬送手段である給送ローラで、８４ｂ（８４ｃ）は、装置本体側に支持され、駆動部からの動力で回転する垂直搬送ローラＡで、８４、８５、８６は搬送ローラで、８７はレジストローラで、９０は搬送路の一部を有する開閉扉で、９４ｂ（９４ｃ）は当該開閉扉９０に支持されている垂直搬送ローラＢで、Ｓ１ａ（Ｓ１ｂ、Ｓ１ｃ）は前記搬送路の下流側の検知手段である第１給紙センサ、Ｓ２は搬送路の一部の箇所の記録紙の有無を検知する検知手段である第２給紙センサである。用紙Ｐは搬送路Ｒ、Ｔ、Ｕに沿って感光体１方向に搬送される。
【００１３】
前記開閉扉９０は、その外側面が装置本体の外径の一部を形成する側壁となっており、内側面は搬送路の一部である搬送路Ｒの一方のガイド面９０１を形成している。すなわち、当該ガイド面９０１と装置本体側のガイド面９０２とで開閉扉部分の搬送路Ｒを形成している。また、前記垂直搬送ローラ８４ｂ（８４ｃ）は開閉扉９０と一体に設けられ、開閉扉９０が閉った状態では、前記垂直搬送ローラＡ８４ｂ（８４ｃ）と前記垂直搬送ローラＢ９４ｂ（９４ｃ）とは互いに押圧し、記録紙の挟持搬送を可能とする。
【００１４】
図２は開閉扉が開いた状態を示す図である。
図２において、前記開閉扉９０は、蝶番９００を介して装置本体と一体になっており、矢印ｗ方向で開閉が可能で、閉まった状態では不図示のロック機構により定着されている。また、図３は開閉扉が閉まったときの開閉扉の検知部を示す図で、開閉扉９０に設けられた遮光板９０５が装置本体側に設けられたフォトカプラ９０４に係合し、開閉扉９０の開閉の状態が検知される。
【００１５】
図１に戻って、記録紙の給紙、搬送のプロセスについては、用紙Ｐは送り出しローラ８１ａ（８１ｂ、８１ｃ）で送り出され、搬送ローラ８２ａ（８２ｂ、８２ｃ）を経て、第１給紙センサＳ１ａ（Ｓ１ｂ、Ｓ１ｃ）で記録紙先端が検知され、給送ローラ８３ａ（８３ｂ、８３ｃ）で搬送される。さらに、搬送ローラ８４（または垂直搬送ローラＡ、Ｂ）で搬送され、第２給紙センサＳ２に到達する。
【００１６】
ここで、用紙Ｐの先端が、第１給紙センサＳ１ａ（Ｓ１ｂ、Ｓ１ｃ）から第２給紙センサＳ２まで、所定の基準時間以上かかり、かつ、用紙Ｐの残留が前記第１給紙センサＳ１ａ（Ｓ１ｂ、Ｓ１ｃ）によって検知された場合には、制御部Ｍ（図１参照）からの指令で搬送駆動は停止し、紙詰まり警告が表示部１２２（図１参照）に表示される。これによって、オペレータは開閉扉９０を開け、搬送ローラ８４、給送ローラ８３ａ（８３ｂ、８３ｃ）、に停滞している記録紙を取り除く処理をする。
【００１７】
しかしながら、用紙Ｐは、紙サイズによっては、搬送ローラ８４と給送ローラ８３ａ（８３ｂ、８４ｂ）に挟持され、装置本体側のガイド面９０２に張着した状態にある場合がある。このような状態では開閉扉９０を開放しても記録紙除去が困難となる。
【００１８】
本発明は、このような不便を解消するために、斯かる状態でも記録紙を簡単に取り除き易く改良した点を特徴とする。
【００１９】
図４は、紙詰まりを処理する過程を説明するための、図１の点線Ｆ領域の拡大図である。
【００２０】
すなわち、図４において、表示部１２２（図１参照）の紙詰まり表示からオペレータが判断し、開閉扉９０を開放すると、遮光板９０５（図３参照）がファトカプラ９０４（図３参照）をＯＮし、その信号が制御部に伝達され、制御部からの指令で駆動モータを作動させ、搬送手段である給送ローラ８３ａ（８３ｂ、８３ｃ）のみを矢印方向に所定の一定時間駆動させ、用紙Ｐを点線Ｐ’で示すループ状にして、取り出し易く改良を行った。また、用紙Ｐの先端が搬送路下流側、例えばガイドＫの位置にあった場合でも、給送ローラ８３ａ（８３ｂ、８３ｃ）のみをを矢印方向に所定の一定時間駆動させれば、用紙Ｐの先端は開閉扉９０の位置まで搬送されるので容易に除去することができる。
【００２１】
本発明は、搬送路の一部を形成する搬送路Ｒの一方のガイド面として、前記開閉扉の内面を利用して形成したものであり、この構成は、下流に続く搬送路Ｔの部分に特別な構造を施す必要はなく、給送ローラ８３ａ（８３ｂ、８３ｃ）を所定の一定時間駆動させるだけで、詰まった記録紙を容易に除去できる点に特徴を有する。
【００２２】
【発明の効果】
コストアップすることなく、機械構成を変えることなく、詰まった記録紙の除去が容易にできる。
【図面の簡単な説明】
【図１】画像形成装置の全体構成の一例を示す図である。
【図２】開閉扉が開いた状態を示す図である。
【図３】開閉扉が閉まったときの開閉扉の検知部を示す図である。
【図４】紙詰まりを処理する過程を説明するための、図１の点線Ｆ領域の拡大図である。
【符号の説明】
１  感光体
８１ａ、８１ｂ、８１ｃ  送り出しローラ、
８２ａ、８２ｂ、８２ｃ、８４、８５、８６  搬送ローラ
８３ａ、８３ｂ、８３ｃ  給送ローラ
８４ｂ、８４ｃ  垂直搬送ローラＡ
８７  レジストローラ
９０  開閉扉
９４ｂ、９４ｃ  垂直搬送ローラＢ
Ｒ、Ｔ、Ｕ  搬送路
Ｓ２  第２給紙センサ
Ｓ１ａ、Ｓ１ｂ、Ｓ１ｃ第１給紙センサ
【図１】
2005008310.tif 000003
【図２】
2005008310.tif 000004
【図３】
2005008310.tif 000005
【図４】
2005008310.tif 000006